(57)【要約】【課題】  強度を高くすることができる収納ケースで、これにより、大型の収納ケースを実現でき、さらには、廃棄処分が容易であり、また、組立てが容易な収納ケースを提供する。【解決手段】  収納ケースＡは、筒状部材３０ａ等と連結部材２０ａ等から構成される枠状部１０と、枠状部１０内に設けられた収納部４０、１００−１、１００−２とを有していて、収納部４０、１００−１、１００−２は、筒状を呈する筒状部と、該筒状部の一方の開口部に設けられたカバー部と、を有する外側部材と、筒状を呈する筒状部と、筒状部の一方の端部から折れ線を介して連設された縁部と、該縁部の端部から折れ線を介して連設された羽根状部と、を有する内側部材と、該内側部材に設けられた引出し部材と、から構成されている。【選択図】        図１
0003102174.tif 000002
【実用新案登録請求の範囲】
【請求項１】
収納ケースであって、
筒状を呈する複数の紙製の筒状部材と、該筒状部材を連結するための複数の連結部材と、を有する枠状部と、
該枠状部内に設けられた、内部に被収納物を収納可能な収納部で、少なくとも一部が段ボール材により形成された収納部と、
を有することを特徴とする収納ケース。
【請求項２】
上記枠状部を構成する複数の筒状部材において、一部の筒状部材が水平方向に配設されているとともに、他の筒状部材が垂直方向に配設されていることを特徴とする請求項１に記載の収納ケース。
【請求項３】
上記収納部が、
１枚の段ボール部材により形成された外側部材で、筒状を呈する筒状部と、該筒状部の一方の開口部に設けられたカバー部と、を有する外側部材と、
該外側部材の内部に収納され、１枚の段ボール部材により形成された内側部材で、筒状を呈する筒状部と、筒状部の一方の端部から折れ線を介して連設された縁部で、該筒状部の開口部から外周方向に所定幅に形成された縁部と、該縁部の端部から折れ線を介して連設された羽根状部で、内側部材を構成する該筒状部の外側に配設される羽根状部と、を有する内側部材と、
該内側部材に設けられた引出し部材と、
を有することを特徴とする請求項１又は２に記載の収納ケース。
【請求項４】
上記外側部材の筒状部の断面形状が、八角形を呈し、また、上記内側部材における縁部が台形形状を呈していることを特徴とする請求項３に記載の収納ケース。
【請求項５】
上記収納部が複数設けられ、複数の収納部における一部の収納部においては、上記引出し部材が、内側部材に対して手前側に回動して開閉するように構成され、また、他の収納部においては、上記引出し部材が、内側部材に対して手前側に引き出すことにより開閉するように構成されていることを特徴とする請求項３又は４に記載の収納ケース。
【請求項６】
収納部の周囲に配設された筒状部材は、収納部の辺部に沿って配設されていることを特徴とする請求項１又は２又は３又は４又は５に記載の収納ケース。
【請求項７】
収納ケースであって、
筒状を呈する複数の紙製の筒状部材と、該筒状部材を連結するための複数の連結部材と、を有する枠状部で、複数の筒状部材における一部の筒状部材が水平方向に配設されているとともに、他の筒状部材が垂直方向に配設されている枠状部と、
該枠状部内に設けられた、内部に被収納物を収納可能な段ボール製の収納部で、
１枚の段ボール部材により形成された外側部材で、筒状を呈する筒状部で、断面形状が八角形を呈する筒状部と、該筒状部の一方の開口部に設けられたカバー部と、を有する外側部材と、
該外側部材の内部に収納され、１枚の段ボール部材により形成された内側部材で、筒状を呈する筒状部と、筒状部の一方の端部から折れ線を介して連設された縁部で、該筒状部の開口部から外周方向に所定幅に形成された縁部と、該縁部の端部から折れ線を介して連設された羽根状部で、内側部材を構成する該筒状部の外側に配設される羽根状部と、を有する内側部材と、
該内側部材に設けられた引出し部材と、
を有する収納部と、
を有し、
該収納部の周囲に配設された筒状部材は、該収納部の辺部に沿って配設されていることを特徴とする収納ケース。
【請求項８】
上記収納部が複数設けられ、複数の収納部における一部の収納部においては、上記引出し部材が、内側部材に対して手前側に回動して開閉するように構成され、また、他の収納部においては、上記引出し部材が、内側部材に対して手前側に引き出すことにより開閉するように構成されていることを特徴とする請求項７に記載の収納ケース。
【請求項９】
上記収納部における外側部材の左右方向の幅は、該収納部の縦方向の辺部に沿って配設された両側の筒状部材間の幅よりも大きく形成され、また、上記収納部における外側部材の上下方向の幅は、該収納部の横方向の辺部に沿って配設された両側の筒状部材間の幅よりも大きく形成されていて、これにより、収納部が枠状部から容易に脱落しないように形成されていることを特徴とする請求項３又は４又は５又は７又は８に記載の収納ケース。
【請求項１０】
上記収納部における内側部材には、筒状部内の空間を仕切る仕切部材が設けられ、上記引出し部材は、該仕切部材により仕切られた各空間に設けられていることを特徴とする請求項３又は４又は５又は７又は８又は９に記載の収納ケース。
【請求項１１】
上記筒状部材が、円筒状を呈することを特徴とする請求項１又は２又は３又は４又は５又は６又は７又は８又は９又は１０に記載の収納ケース。
【請求項１２】
上記複数の筒状部材の少なくとも一部が、断面三角形状の筒状を呈することを特徴とする請求項１又は２又は３又は４又は５又は６又は７又は８又は９又は１０に記載の収納ケース。
【請求項１３】
上記複数の筒状部材の少なくとも一部が、断面四角形状の筒状を呈することを特徴とする請求項１又は２又は３又は４又は５又は６又は７又は８又は９又は１０に記載の収納ケース。
【考案の詳細な説明】
【技術分野】
【０００１】
本考案は、収納ケースに関するものである。
【背景技術】
【０００２】
従来より、収納ケースとしては、合成樹脂製のものや、木製のものや、紙製のものが存在する。
【考案の開示】
【考案が解決しようとする課題】
【０００３】
しかし、合成樹脂製の収納ケースや木製の収納ケースにおいては、その廃棄処分が面倒であるという問題があった。
【０００４】
また、紙製の収納ケースの場合には、紙製であるために強度が弱く、そのため、大型の収納ケースを実現しにくいという問題があった。また、組立式の場合には、組立てが容易であることが要望されていた。
【０００５】
そこで、本考案は、強度を高くすることができる収納ケースで、これにより、大型の収納ケースを実現でき、さらには、廃棄処分が容易であり、また、組立てが容易な収納ケースを提供することを目的とするものである。
【課題を解決するための手段】
【０００６】
本考案は上記問題点を解決するために創作されたものであって、第１には、収納ケースであって、筒状を呈する複数の紙製の筒状部材と、該筒状部材を連結するための複数の連結部材と、を有する枠状部と、該枠状部内に設けられた、内部に被収納物を収納可能な収納部で、少なくとも一部が段ボール材により形成された収納部と、を有することを特徴とする。
【０００７】
この第１の構成の収納ケースにおいては、収納部が枠状部内に設けられているので、収納部自体の強度が高くなくても、枠状部により強度を保つことができる。よって、枠状部内に複数の収納部を設けることにより、大型の収納ケースを実現できる。また、枠状部の筒状部材が紙製であるので、筒状部材の廃棄が容易であり、また、収納部の少なくとも一部が段ボール材により形成されているので、収納部の廃棄も容易となる。また、枠状部を組み立てながら収納部を配置していけばよいので、組立ても容易である。
【０００８】
また、第２には、上記第１の構成において、上記枠状部を構成する複数の筒状部材において、一部の筒状部材が水平方向に配設されているとともに、他の筒状部材が垂直方向に配設されていることを特徴とする。
【０００９】
また、第３には、上記第１又は第２の構成において、上記収納部が、１枚の段ボール部材により形成された外側部材で、筒状を呈する筒状部と、該筒状部の一方の開口部に設けられたカバー部と、を有する外側部材と、該外側部材の内部に収納され、１枚の段ボール部材により形成された内側部材で、筒状を呈する筒状部と、筒状部の一方の端部から折れ線を介して連設された縁部で、該筒状部の開口部から外周方向に所定幅に形成された縁部と、該縁部の端部から折れ線を介して連設された羽根状部で、内側部材を構成する該筒状部の外側に配設される羽根状部と、を有する内側部材と、該内側部材に設けられた引出し部材と、を有することを特徴とする。
【００１０】
この第３の構成の収納ケースによれば、収納部が、外側部材と内側部材とを有しているので、収納部の強度を高くすることができる。特に、外側部材の筒状部と、内側部材の筒状部と、羽根状部とで三重に構成されるので、収納部の強度を高くすることができる。また、内側部材を外側部材に挿入するのみで組立てが可能であるので、組立てが極めて容易である。
【００１１】
また、第４には、上記第３の構成において、上記外側部材の筒状部の断面形状が、八角形を呈し、また、上記内側部材における縁部が台形形状を呈していることを特徴とする。よって、収納部の角部を面取りした形状にでき、これにより、筒状部材の配置スペースを確保することが可能となる。
【００１２】
また、第５には、上記第３又は第４の構成において、上記収納部が複数設けられ、複数の収納部における一部の収納部においては、上記引出し部材が、内側部材に対して手前側に回動して開閉するように構成され、また、他の収納部においては、上記引出し部材が、内側部材に対して手前側に引き出すことにより開閉するように構成されていることを特徴とする。
【００１３】
また、第６には、上記第１から第５までのいずれかの構成において、収納部の周囲に配設された筒状部材は、収納部の辺部に沿って配設されていることを特徴とする。これにより、枠状部内に収納部を確実に設けることができ、また、収納部に引出し部材が設けられている場合には、引出し部材の引出しの支障となることがない。
【００１４】
また、第７には、収納ケースであって、筒状を呈する複数の紙製の筒状部材と、該筒状部材を連結するための複数の連結部材と、を有する枠状部で、複数の筒状部材における一部の筒状部材が水平方向に配設されているとともに、他の筒状部材が垂直方向に配設されている枠状部と、該枠状部内に設けられた、内部に被収納物を収納可能な段ボール製の収納部で、１枚の段ボール部材により形成された外側部材で、筒状を呈する筒状部で、断面形状が八角形を呈する筒状部と、該筒状部の一方の開口部に設けられたカバー部と、を有する外側部材と、該外側部材の内部に収納され、１枚の段ボール部材により形成された内側部材で、筒状を呈する筒状部と、筒状部の一方の端部から折れ線を介して連設された縁部で、該筒状部の開口部から外周方向に所定幅に形成された縁部と、該縁部の端部から折れ線を介して連設された羽根状部で、内側部材を構成する該筒状部の外側に配設される羽根状部と、を有する内側部材と、該内側部材に設けられた引出し部材と、を有する収納部と、を有し、該収納部の周囲に配設された筒状部材は、該収納部の辺部に沿って配設されていることを特徴とする。
【００１５】
この第７の構成の収納ケースにおいては、収納部が枠状部内に設けられているので、収納部自体の強度が高くなくても、枠状部により強度を保つことができる。よって、枠状部内に複数の収納部を設けることにより、大型の収納ケースを実現できる。また、枠状部の筒状部材が紙製であるので、筒状部材の廃棄が容易であり、また、収納部の少なくとも一部が段ボール材により形成されているので、収納部の廃棄も容易となる。また、枠状部を組み立てながら収納部を配置していけばよいので、組立ても容易である。また、収納部が、外側部材と内側部材とを有しているので、収納部の強度を高くすることができる。特に、外側部材の筒状部と、内側部材の筒状部と、羽根状部とで三重に構成されるので、収納部の強度を高くすることができる。また、内側部材を外側部材に挿入するのみで組立てが可能であるので、組立てが極めて容易である。また、上記外側部材の筒状部の断面形状が、八角形を呈しているので、収納部の角部を面取りした形状にでき、これにより、筒状部材の配置スペースを確保することが可能となる。また、収納部の周囲に配設された筒状部材は、該収納部の辺部に沿って配設されているので、枠状部内に収納部を確実に設けることができ、また、収納部に引出し部材が設けられている場合には、引出し部材の引出しの支障となることがない。
【００１６】
また、第８には、上記第７の構成において、上記収納部が複数設けられ、複数の収納部における一部の収納部においては、上記引出し部材が、内側部材に対して手前側に回動して開閉するように構成され、また、他の収納部においては、上記引出し部材が、内側部材に対して手前側に引き出すことにより開閉するように構成されていることを特徴とする。
【００１７】
また、第９には、上記第３又は第４又は第５又は第７又は第８の構成において、上記収納部における外側部材の左右方向の幅は、該収納部の縦方向の辺部に沿って配設された両側の筒状部材間の幅よりも大きく形成され、また、上記収納部における外側部材の上下方向の幅は、該収納部の横方向の辺部に沿って配設された両側の筒状部材間の幅よりも大きく形成されていて、これにより、収納部が枠状部から容易に脱落しないように形成されていることを特徴とする。
【００１８】
また、第１０には、上記第３又は第４又は第５又は第７又は第８又は第９の構成において、上記収納部における内側部材には、筒状部内の空間を仕切る仕切部材が設けられ、上記引出し部材は、該仕切部材により仕切られた各空間に設けられていることを特徴とする。
【００１９】
また、第１１には、上記第１から第１０までのいずれかの構成において、上記筒状部材が、円筒状を呈することを特徴とする。
【００２０】
また、第１２には、上記第１から第１０までのいずれかの構成において、上記複数の筒状部材の少なくとも一部が、断面三角形状の筒状を呈することを特徴とする。
【００２１】
また、第１３には、上記第１から第１０までのいずれかの構成において、上記複数の筒状部材の少なくとも一部が、断面四角形状の筒状を呈することを特徴とする。
【考案の効果】
【００２２】
本考案に基づく収納ケースによれば、収納部が枠状部内に設けられているので、収納部自体の強度が高くなくても、枠状部により強度を保つことができる。よって、枠状部内に複数の収納部を設けることにより、大型の収納ケースを実現できる。また、枠状部の筒状部材が紙製であるので、筒状部材の廃棄が容易であり、また、収納部の少なくとも一部が段ボール材により形成されているので、収納部の廃棄も容易となる。また、枠状部を組み立てながら収納部を配置していけばよいので、組立ても容易である。
【考案を実施するための最良の形態】
【００２３】
本考案においては、強度を高くすることができる収納ケースで、これにより、大型の収納ケースを実現でき、さらには、組立てが容易な収納ケースを提供するという目的を以下のようにして実現した。
【００２４】
本考案に基づく収納ケースＡは、図１〜図３に示されるように、枠状部１０と、収納部（引出し部）４０と、収納部（引出し部）１００−１と、収納部（引出し部）１００−２とを有している。なお、図１等において、Ｘ１−Ｘ２方向とＹ１−Ｙ２方向とＺ１−Ｚ２方向とは互いに直角の方向をなすものである。
【００２５】
ここで、枠状部１０は、複数の紙製の筒状部材を連結部材により接続して枠状に形成したものである。すなわち、枠状部１０は、連結部材２０ａ、２０ｂ、２０ｃ、２０ｄ、２０ｅ、２０ｆと、筒状部材３０ａ、３０ｂ、３０ｃ、３０ｄと、キャスター部３５とを有している。
【００２６】
ここで、連結部材２０ａは、円柱状部の本体部２０ａ−１と、該本体部２０ａ−１の側面に形成された突状部（図示せず）とを有している。この突状部は、筒状部材３０ｃ等に嵌装するためのものであり、直角をなす２つの方向に設けられている。また、該本体部２０ａ−１の下面には、筒状部材３０ａを嵌装させるための穴部が設けられている。これにより、連結部材２０ａには、直角をなす２方向の横方向と下方向に筒状部材を取付け可能となっている。
【００２７】
また、連結部材２０ｂは、円柱状部の本体部２０ｂ−１と、該本体部２０ｂ−１の側面に形成された突状部（図示せず）とを有している。この突状部は、筒状部材３０ｄ等に嵌装するためのものであり、隣接する突状部同士が直角をなす計３つの方向に設けられている（例えば、１つの例としては、突状部は、Ｙ１方向と、Ｘ２方向と、Ｙ２方向に設けられている）。また、該本体部２０ｂ−１の下面には、筒状部材３０ａ等を嵌装させるための穴部が設けられている。これにより、連結部材２０ｂには、３方向の横方向と下方向に筒状部材を取付け可能となっている。
【００２８】
また、連結部材２０ｃは、円柱状部の本体部２０ｃ−１と、該本体部２０ｃ−１の側面に形成された突状部（図示せず）とを有している。この突状部は、筒状部材３０ｃ等に嵌装するためのものであり、直角をなす２つの方向に設けられている。また、該本体部２０ｃ−１の上面と下面には、筒状部材３０ａ、３０ｂ等を嵌装させるための穴部が設けられている。これにより、連結部材２０ｃには、直角をなす２方向の横方向と上方向と下方向に筒状部材を取付け可能となっている。
【００２９】
また、連結部材２０ｄは、円柱状部の本体部２０ｄ−１と、該本体部２０ｄ−１の側面に形成された突状部（図示せず）とを有している。この突状部は、筒状部材３０ｄ等に嵌装するためのものであり、隣接する突状部同士が直角をなす計３つの方向に設けられている（例えば、１つの例としては、突状部は、Ｙ１方向と、Ｘ２方向と、Ｙ２方向に設けられている）。また、該本体部２０ｄ−１の上面と下面には、筒状部材３０ａ、３０ｂ等を嵌装させるための穴部が設けられている。これにより、連結部材２０ｄには、３方向の横方向と上方向と下方向に筒状部材を取付け可能となっている。
【００３０】
また、連結部材２０ｅは、円柱状部の本体部２０ｅ−１と、該本体部２０ｅ−１の側面に形成された突状部（図示せず）とを有している。この突状部は、筒状部材３０ｃ等に嵌装するためのものであり、直角をなす２つの方向に設けられている。また、該本体部２０ｅ−１の上面には、筒状部材３０ｂを嵌装させるための穴部が設けられている。これにより、連結部材２０ｅには、直角をなす２方向の横方向と上方向に筒状部材を取付け可能となっている。また、この連結部材２０ｅの下面には、キャスター部３５が取付け可能になっている。
【００３１】
また、連結部材２０ｆは、円柱状部の本体部２０ｆ−１と、該本体部２０ｆ−１の側面に形成された突状部（図示せず）とを有している。この突状部は、筒状部材３０ｄ等に嵌装するためのものであり、隣接する突状部同士が直角をなす計３つの方向に設けられている（例えば、１つの例としては、突状部は、Ｙ１方向と、Ｘ２方向と、Ｙ２方向に設けられている）。また、該本体部２０ｆ−１の上面には、筒状部材３０ｂを嵌装させるための穴部が設けられている。これにより、連結部材２０ｆには、３方向の横方向と上方向に筒状部材を取付け可能となっている。また、この連結部材２０ｆの下面には、キャスター部３５が取付け可能になっている。なお、上記連結部材２０ａ〜２０ｆは、合成樹脂により形成されている。
【００３２】
なお、上記連結部材に設けられる突状部は、例えば、円柱状に形成されて、該筒状部材の穴部に嵌装されるようになっている。なお、円柱状でなくても、筒状部材の穴部に嵌装できる形状であればよい。
【００３３】
また、筒状部材３０ａ、３０ｂ、３０ｃ、３０ｄは、紙製で、円筒状を呈し、その断面形状と断面の大きさはともに同一に形成されている。なお、筒状部材３０ａの長さは、筒状部材３０ｂ、３０ｃ、３０ｄよりも短く形成され、また、筒状部材３０ｂの長さは、筒状部材３０ａ、３０ｃ、３０ｄよりも長く形成されている。
【００３４】
そして、連結部材２０ａの突状部には、筒状部材３０ｃと筒状部材３０ｄが接続され、連結部材２０ａの穴部には、筒状部材３０ａが接続されている。また、連結部材２０ｂの突状部には、相対する方向に筒状部材３０ｄが接続され、他の方向には筒状部材３０ｃが接続されている。また、連結部材２０ｂの穴部には、筒状部材３０ａが接続されている。また、連結部材２０ｃの突状部には、筒状部材３０ｃと筒状部材３０ｄが接続され、連結部材２０ｃの上側の穴部には筒状部材３０ａが接続され、下側の穴部には筒状部材３０ｂが接続されている。また、また、連結部材２０ｄの突状部には、相対する方向に筒状部材３０ｄが接続され、他の方向には筒状部材３０ｃが接続されている。また、連結部材２０ｄの上側の穴部には筒状部材３０ａが接続され、下側の穴部には筒状部材３０ｂが接続されている。また、連結部材２０ｅの突状部には、筒状部材３０ｃと筒状部材３０ｄが接続され、連結部材２０ｅの穴部には、筒状部材３０ｂが接続されている。また、連結部材２０ｆの突状部には、相対する方向に筒状部材３０ｄが接続され、他の方向には筒状部材３０ｃが接続されている。また、連結部材２０ｆの穴部には、筒状部材３０ｂが接続されている。また、各連結部材２０ｅ、２０ｆの下端にはキャスター３５が取り付けられている。なお、枠状部１０の上側位置において、３つの筒状部材３０ｃが平行に設けられているが、下側位置と、上側位置と下側位置の間の位置においても、３つの筒状部材３０ｃが平行に設けられている。
【００３５】
次に、収納部４０は、図４に示すように、外側部材５０と、内側部材６０と、引出し部材７０とを有している。
【００３６】
ここで、外側部材５０は、１枚の紙部材（例えば、段ボール材）から形成されていて、図４に示すように、筒状部５２と、筒状部５２の一方を被覆するカバー部５６とから構成されている。
【００３７】
この筒状部５２は、その展開状態においては、図７に示すように、板状部５２−１と、板状部５２−２と、板状部５２−３と、板状部５２−４と、板状部５２−５と、板状部５２−６と、板状部５２−７と、板状部５２−８と、糊代部５４とが連続して直線状に折れ線を介して構成されている。ここで、板状部５２−１〜５２−８は、方形状又は略方形状を呈し、板状部５２−１と板状部５２−５とは、同一の形状で同一の大きさに形成され、また、板状部５２−２と板状部５２−６とは、同一の形状で同一の大きさに形成され、また、板状部５２−３と板状部５２−７とは、同一の形状で同一の大きさに形成され、また、板状部５２−４と板状部５２−８とは、略同一の形状で略同一の大きさ形成されている。板状部５２−１〜板状部５２−８の長さ（つまり、図７におけるＸ方向の長さ）は同一に形成されている。糊代部５４は、板状部５２−１に接着される。これにより、筒状部５２は、断面が八角形の筒状に形成される。この断面八角形は、いわば断面四角形の角部を面取りしたような形状といえる。
【００３８】
また、カバー部５６は、板状部５６−１と、板状部５６−２と、板状部５６−３と、板状部５６−４とから構成され、板状部５６−１は、板状部５２−１から折れ線を介して連設され、また、板状部５６−２は、板状部５２−３から折れ線を介して連設され、また、板状部５６−３は、板状部５２−５から折れ線を介して連設され、また、板状部５６−４は、板状部５２−７から折れ線を介して連設されている。そして、板状部５６−１〜５６−４は、互いに組み合わせることにより一枚の板状に構成されるようになっている。なお、図７〜図１３の各展開図において、点線は折れ線を示すものである。
【００３９】
また、内側部材６０は、１枚の紙部材（例えば、段ボール材）から形成されていて、図４に示すように、筒状部６２と、筒状部６２の端部から連設された縁部６４と、縁部の端部から連設された羽根状部６６とから構成されている。
【００４０】
この筒状部６２は、その展開状態においては、図８に示すように、板状部６２−１と、板状部６２−２と、板状部６２−３と、板状部６２−４と、糊代部６３とが連続して直線状に折れ線を介して構成されている。ここで、板状部６２−１〜６２−４は、方形状を呈し、板状部６２−１と板状部６２−３とは、同一の形状で同一の大きさに形成され、また、板状部６２−２と板状部６２−４とは、同一の形状で同一の大きさに形成されている。板状部６２−１〜板状部６２−４の長さ（つまり、図８におけるＸ方向の長さ）は同一に形成されている。糊代部６３は、板状部６２−１に接着される。これにより、筒状部６２は、断面が四角形の筒状に形成される。
【００４１】
また、縁部６４は、板状部６４−１と、板状部６４−２と、板状部６４−３と、板状部６４−４から構成され、各板状部は細長の台形形状を呈し、各板状部とも同じ幅を有している（つまり、図８においてＸ方向の長さは同一に形成されている）。すなわち、板状部６４−１は、板状部６２−１から折れ線を介して連設され、また、板状部６４−２は、板状部６２−２から折れ線を介して連設され、また、板状部６４−３は、板状部６２−３から折れ線を介して連設され、また、板状部６４−４は、板状部６２−４から折れ線を介して連設されている。なお、板状部６４−１〜６４−４が台形形状に形成されているのは、内側部材６０を組み立てた際に外側部材５０の面取り形状に合わせるためである。
【００４２】
また、羽根状部６６は、板状部６６−１と、板状部６６−２と、板状部６６−３と、板状部６６−４とを有し、各板状部は方形状を呈している。また、羽根状部６６を構成する板状部は、縁部６４を構成する板状部から折れ線を介して連設され、具体的には、筒状部６２を構成する板状部が接する辺部と相対する辺部から連設されている。また、板状部６６−１〜６６−４の各板状部の長さ（つまり、図８におけるＸ方向の長さ）は同じに形成され、また、各板状部の幅は、隣接する板状部（つまり、縁部６４を構成する板状部）における羽根状部６６を構成する板状部側の辺部の長さと同じとなっている。
【００４３】
なお、この内側部材６０は、外側部材５０内に収納できる大きさを有し、好ましくは、外側部材５０内に丁度ぴったり納まる大きさを有している。また、内側部材６０の前後方向の長さ（つまり、図４におけるＹ１−Ｙ２方向の長さ）は、外側部材５０の内部の前後方向の長さと同一又は略同一となっている。
【００４４】
また、引出し部材７０は、内側部材６０内の空間に設けられ、引出し部材７０の下端位置において内側部材６０に軸支され、該引出し部材７０を回動させることにより引き出すことができるようになっている。この引出し部材７０も基本的には１枚の紙部材（例えば、段ボール材）により形成されている。つまり、引出し部材７０は、図９に示すように、引出し部材７０の正面を構成する板状部７２と、側面を構成する側面部７４、７６と、板状部７２の裏側に配設される板状部７８、８０と、板状部７２と板状部７８間に設けられた帯状の板状部７７と、板状部７２と板状部８０間に設けられた帯状の板状部７９とを有している。ここで、板状部７２、７８、８０は、方形状を呈し、また、板状部７４、７８は扇状を呈している。この板状部７２、７８には、取っ手部８２を取り付けるための開口部Ｋ１が設けられ、また、板状部７４、７６には、円弧状の細長開口部Ｋ２が設けられている。この細長開口部Ｋ２は、内側部材６０の内側面に固着される止め部材７９を挿通させるためのものである。これにより、引出し部材７０は、円滑に引き出し動作できることになる。
【００４５】
なお、上記収納部４０の構成に当たっては、引出し部材７０を取り付けた状態の内側部材６０を外側部材５０に収納することにより構成される。
【００４６】
また、この収納部４０は、枠状部１０内に設置した場合に、容易に枠状部１０から脱落しない大きさに形成されている。つまり、外側部材５０のＸ１−Ｘ２方向の長さＳ１１（図４参照）をＸ１−Ｘ２方向の筒状部材３０ｂ間の距離Ｒ１１（図１参照）よりも大きくし、また、外側部材５０のＺ１−Ｚ２方向の長さＳ２１（図４参照）をＺ１−Ｚ２方向の筒状部材３０ｃ間の距離Ｒ２１（図１参照）よりも大きくすることにより、収納部４０が枠状部１０から脱落しないようにする。なお、外側部材５０の長さＳ１１を距離Ｒ１１よりも大きくし、長さＳ２１を距離Ｒ２１よりも大きくした場合でも、収納部４０の外側部材５０が面取り形状に形成されているので、支障となることがない。なお、収納部４０の上方に収納部１００−１が設けられるので、外側部材５０のＺ１−Ｚ２方向の長さＳ２１はＺ１−Ｚ２方向の筒状部材３０ｃの中心間の距離Ｒ２２（図１参照）よりも小さくする。
【００４７】
なお、収納部４０の周囲には、４つの筒状部材３０ｂと、４つの筒状部材３０ｃと、４つの筒状部材３０ｄとが設けられているが、これらは収納部４０の辺部に沿って設けられているといえる。
【００４８】
次に、収納部１００−１と、収納部１００−２について説明する。なお、収納部１００−１と収納部１００−２とは同じ構成であるので、収納部１００−１を例に取って説明する。
【００４９】
収納部１００−１は、図５、図６に示すように、外側部材１１０と、内側部材１２０と、引出し部材１４０とを有している。
【００５０】
ここで、外側部材１１０は、１枚の紙部材（例えば、段ボール材）から形成されていて、図６に示すように、筒状部１１２と、筒状部１１２の一方を被覆するカバー部１１６とから構成されている。
【００５１】
この筒状部１１２は、その展開状態においては、図１０に示すように、板状部１１２−１と、板状部１１２−２と、板状部１１２−３と、板状部１１２−４と、板状部１１２−５と、板状部１１２−６と、板状部１１２−７と、板状部１１２−８と、糊代部１１４とが連続して直線状に折れ線を介して構成されている。ここで、板状部１１２−１〜１１２−８は、方形状又は略方形状を呈し、板状部１１２−１と板状部１１２−５とは、同一の形状で同一の大きさに形成され、また、板状部１１２−２と板状部１１２−６とは、同一の形状で同一の大きさに形成され、また、板状部１１２−３と板状部１１２−７とは、同一の形状で同一の大きさに形成され、また、板状部１１２−４と板状部１１２−８とは、略同一の形状で略同一の大きさ形成されている。これにより、筒状部１１２は、断面が八角形の筒状に形成される。この断面八角形は、いわば断面四角形の角部を面取りしたような形状といえる。
【００５２】
また、カバー部１１６は、図１０に示すように、板状部１１６−１と、板状部１１６−２と、板状部１１６−３と、板状部１１６−４とから構成され、板状部１１６−１は、板状部１１２−１から折れ線を介して連設され、また、板状部１１６−２は、板状部１１２−３から折れ線を介して連設され、また、板状部１１６−３は、板状部１１２−５から折れ線を介して連設され、また、板状部１１６−４は、板状部１１２−７から折れ線を介して連設されている。そして、板状部１１６−１〜１１６−４は、互いに組み合わせることにより一枚の板状に構成されるようになっている。
【００５３】
また、内側部材１２０は、１枚の紙部材（例えば、段ボール材）から形成されていて、図５、図６に示すように、筒状部１２２と、筒状部１２２の端部から連設された縁部１２４と、縁部の端部から連設された羽根状部１２６と、仕切部材１３０と、から構成されている。
【００５４】
この筒状部１２２は、その展開状態においては、図１１に示すように、板状部１２２−１と、板状部１２２−２と、板状部１２２−３と、板状部１２２−４と、糊代部１２３とが連続して直線状に折れ線を介して構成されている。ここで、板状部１２２−２と板状部１２２−４は、方形状を呈し、また、板状部１２２−１と板状部１２２−３は、方形状の形状にスリット１２２ａを設けた形状を呈している。なお、板状部１２２−２と板状部１２２−４は、同一の形状で同一の大きさに形成され、また、板状部１２２−１と板状部１２２−３も、同一の形状で同一の大きさに形成されている。板状部１２２−１〜板状部１２２−４の長さ（つまり、図１１におけるＸ方向の長さ）は同一に形成されている。糊代部１２３は、板状部１２２−１に接着される。これにより、筒状部１２２は、断面が四角形の筒状に形成される。
【００５５】
また、縁部１２４は、板状部１２４−１と、板状部１２４−２と、板状部１２４−３と、板状部１２４−４から構成され、各板状部は細長の台形形状を呈し、各板状部とも同じ幅を有している（つまり、図１１においてＸ方向の長さは同一に形成されている）。すなわち、板状部１２４−１は、板状部１２２−１から折れ線を介して連設され、また、板状部１２４−２は、板状部１２２−２から折れ線を介して連設され、また、板状部１２４−３は、板状部１２２−３から折れ線を介して連設され、また、板状部１２４−４は、板状部１２２−４から折れ線を介して連設されている。なお、板状部１２４−１〜１２４−４が台形形状に形成されているのは、内側部材１２０を組み立てた際に外側部材１１０の面取り形状に合わせるためである。
【００５６】
また、羽根状部１２６は、板状部１２６−１と、板状部１２６−２と、板状部１２６−３と、板状部１２６−４とを有し、各板状部は方形状を呈している。また、羽根状部１２６を構成する板状部は、縁部１２４を構成する板状部から折れ線を介して連設され、具体的には、筒状部１２２を構成する板状部が接する辺部と相対する辺部から連設されている。また、板状部１２６−１〜１２６−４の各板状部の長さ（つまり、図１１におけるＸ方向の長さ）は同じに形成され、また、各板状部の幅（つまり、図１１におけるＹ方向の長さ）は、隣接する板状部（つまり、縁部１２４を構成する板状部）における羽根状部１２６を構成する板状部側の辺部の長さと同じとなっている。
【００５７】
また、仕切部材１３０は、内側部材１２０の内部空間を上下に仕切るための部材であり、全体に板状を呈し、内側部材１２０の内部に横方向に設けられる。この仕切部材１３０の展開状態は、図１２に示すように構成され、板状部１３２−１と、帯板状部１３２−２と、板状部１３２−３と、突状部１３４−１、１３４−２、１３４−３、１３４−４とを有している。ここで、板状部１３２−１と板状部１３２−３は、略方形状に形成され、同一の形状で同一の大きさに形成され、板状部１３２−１と帯板状部１３２−２と板状部１３２−３とは、帯板状部１３２−２を板状部１３２−１と板状部１３２−３間に挟んだ状態で折れ線を介して直線状に配設されている。これにより、仕切部材１３０は二重に構成され、強度が保たれることになる。なお、板状部１３２−１と板状部１３２−３には、帯板状部１３２−２側の両側に切欠部Ｊが設けられて、切欠き形状に形成され、これにより、筒状部１２２に挿着しやすくなっている。また、突状部１３４−１〜１３４−４は、板状部１３２−１、１３２−２の両側に設けられている。つまり、板状部１３４−１と板状部１３４−２は、板状部１３２−１の両側に折れ線を介して設けられ、また、板状部１３４−３と板状部１３４−４は、板状部１３２−３の両側に折れ線を介して設けられている。この板状部１３４−１〜１３４−４は、略長方形状に形成され、仕切部材１３０の組立状態では板状部１３４−１〜１３４−４は垂直方向に折り曲げられた状態となる。
【００５８】
また、引出し部材１４０は、全体に容器状を呈し、底面部と、該底面部の周端から立設した側壁部とを有する形状を呈している。すなわち、引出し部１４０は、図１３に示すように、板状部１４２−１と、板状部１４２−１の手前側の辺部から折れ線を介して連設された板状部１４２−２と、該板状部１４２−２から折れ線を介して連設された板状部１４２−３と、板状部１４２−１の奥側の辺部から折れ線を介して連設された板状部１４２−４と、該板状部１４２−４から折れ線を介して連設された板状部１４２−５と、該板状部１４２−１の左側の辺部から折れ線を介して連設された板状部１４２−６と、該板状部１４２−１の右側の辺部から折れ線を介して連設された板状部１４２−７と、該板状部１４２−６の両側に折れ線を介して連設された板状部１４２−８、１４２−９と、該板状部１４２−７の両側に折れ線を介して連設された板状部１４２−１０、１４２−１１と、板状部１４２−２と板状部１４２−３間に設けられた帯状の板状部１４２−１２と、板状部１４２−４と板状部１４２−５間に設けられた帯状の板状部１４２−１３とを有している。また、板状部１４２−１の手前側の辺部には、板状部１４２−３に設けられた突状部を挿入するための開口部Ｋ１１が設けられ、同じく、板状部１４２−１の奥側の辺部には、板状部１４２−５に設けられた突状部を挿入するための開口部Ｋ１２が設けられている。そして、この引出し部材１４０を組み立てる場合には、板状部１４２−６、１４２−７を立設させるとともに、板状部１４２−８、１４２−９、１４２−１０、１４２−１１を折り曲げて、板状部１４２−８、１４２−１０を板状部１４２−２と板状部１４２−３とで挟むようにして板状部１４２−２、１４２−３を立設させ、また、板状部１４２−９、１４２−１１を板状部１４２−４と板状部１４２−５とで挟むようにして板状部１４２−４、１４２−５を立設させて、引出し部材１４０を組み立てる。また、板状部１４２−２には、開口部Ｋ１３が設けられているので、この開口部Ｋ１３に、帯状部材をループ状にしてつまみ部材１４４を取り付ける。
【００５９】
なお、この内側部材１２０は、外側部材１１０内に収納できる大きさを有し、好ましくは、外側部材１１０内に丁度ぴったり納まる大きさを有している。また、内側部材１２０の前後方向の長さ（つまり、図６におけるＹ１−Ｙ２方向の長さ）は、外側部材１１０の内部の前後方向の長さと同一又は略同一となっている。
【００６０】
また、この収納部１００−１、１００−２は、枠状部１０内に設置した場合に、容易に枠状部１０から脱落しない大きさに形成されている。つまり、外側部材１１０のＸ１−Ｘ２方向の長さＴ１１をＸ１−Ｘ２方向の筒状部材３０ａ間の距離Ｒ１１よりも大きくし、また、外側部材１１０のＺ１−Ｚ２方向の長さＴ２１をＺ１−Ｚ２方向の筒状部材３０ｃ間の距離Ｒ３１よりも大きくすることにより、収納部１００−１、１００−２が枠状部１０から脱落しないようにする。なお、外側部材１１０の長さＴ１１（図６参照）を距離Ｒ１１（図１参照）よりも大きくし、長さＴ２１（図６参照）を距離Ｒ３１（図１参照）よりも大きくした場合でも、収納部１００−１、１００−２の外側部材５０が面取り形状に形成されているので、支障となることがない。なお、収納部４０の上方に収納部１００−１が設けられるので、外側部材１１０のＺ１−Ｚ２方向の長さＴ２１はＺ１−Ｚ２方向の筒状部材３０ｃの中心間の距離Ｒ３２（図１参照）よりも小さくする。
【００６１】
なお、収納部１００−１、１００−２の周囲には、４つの筒状部材３０ａと、４つの筒状部材３０ｃと、４つの筒状部材３０ｄとが設けられているが、これらは収納部１００−１、１００−２の辺部に沿って設けられているといえる。
【００６２】
なお、収納部４０の奥側（つまり、図１においてＹ２側）には、収納部は設けられず、載置部Ｕが設けられて、この載置部Ｕに物を載置できるようになっている。この載置部Ｕは、板状部材により形成されている。
【００６３】
上記収納ケースＡを組み立てる場合には、枠状部１０を途中まで組み立てながら、収納部４０、１００−１、１００−２を設置していく。つまり、枠状部１０を組み立てた後に収納部４０、１００−１、１００−２を配置するのではなく、枠状部１０を組み立てながら引出し部を配置していく。具体的には、下側位置の筒状部材３０ｃ、３０ｄと筒状部材３０ｂを連結部材に接続して組み立てた後に、収納部４０を配置し、その後、中央位置の筒状部材３０ｃ、３０ｄを連結部材に接続させる。その後、連結部材３０ａを接続した後に、収納部１００−１、１００−２を配置し、その後、上側位置の筒状部材３０ｃ、３０ｄを接続して、収納ケースＡ全体を構成する。
【００６４】
上記構成の収納ケースＡを使用する場合には、収納部４０、１００−１、１００−２内に被収納物を収納して使用する。なお、収納部４０を使用する場合には、引出し部材７０を回動させるように引き出して、引出し部材７０の手前側を斜め下方に傾斜させることにより、引出し部材７０の開口部を露出させて引出し部材７０内に被収納物を収納する。なお、収納部１００−１、１００−２を使用する場合には、引出し部材１４０を引出して使用する。また、載置部Ｕの上には、物を載置することができる。
【００６５】
なお、上記の説明では、１つの収納部４０を設けるものとして説明したが、載置部Ｕの代わりに収納部４０を設けるようにしてもよい。また、収納ケースＡの上側には、２つの収納部１００−１、１００−２を設けるものとして説明したが、収納部１００−１及び／又は収納部１００−２の代わりに、板状部材からなる載置部Ｕを設けて、物を載置できるようにしてもよい。
【００６６】
また、上記の説明において、上記筒状部３０ａ、３０ｂ、３０ｃ、３０ｄは円筒状であるとして説明したが、円筒状には限らず他の形状の筒状であってもよい。例えば、断面三角形状の筒状でもよく、また、断面四角形状の筒状でもよい。このように、筒状部材３０ａ〜３０ｄの断面形状を三角形状や四角形状とすることにより、全体に斬新な形状の収納ケースとすることができる。この場合、連結部材に設けられる突状部は、断面形状の穴部に合わせた形状とすることになる。
【図面の簡単な説明】
【００６７】
【図１】本考案の実施例に基づく収納ケースの構成を示す前方斜視図である。
【図２】本考案の実施例に基づく収納ケースの構成を示す前方斜視図である。
【図３】本考案の実施例に基づく収納ケースの構成を示す後方斜視図である。
【図４】収納部の構成を示す分解斜視図である。
【図５】収納部の一部の構成を示す分解斜視図である。
【図６】収納部の構成を示す分解斜視図である。
【図７】外側部材の展開図である。
【図８】内側部材の展開図である。
【図９】引出し部材の展開図である。
【図１０】外側部材の展開図である。
【図１１】内側部材の展開図である。
【図１２】内側部材における仕切部材の展開図である。
【図１３】引出し部材の展開図である。
【符号の説明】
【００６８】
Ａ  収納ケース
１０  枠状部
２０ａ、２０ｂ、２０ｃ、２０ｄ、２０ｅ、２０ｆ  連結部材
３０ａ、３０ｂ、３０ｃ、３０ｄ  筒状部材
４０、１００−１、１００−２  収納部
５０、１１０  外側部材
５２、１１２  筒状部
５６、１１６  カバー部
６０、１２０  内側部材
６２、１２２  筒状部
６４、１２４  縁部
６６、１２６  羽根状部
７０、１４０  引出し部材
１３０  仕切部材
【図１】
0003102174.tif 000003
【図２】
0003102174.tif 000004
【図３】
0003102174.tif 000005
【図４】
0003102174.tif 000006
【図５】
0003102174.tif 000007
【図６】
0003102174.tif 000008
【図７】
0003102174.tif 000009
【図８】
0003102174.tif 000010
【図９】
0003102174.tif 000011
【図１０】
0003102174.tif 000012
【図１１】
0003102174.tif 000013
【図１２】
0003102174.tif 000014
【図１３】
0003102174.tif 000015